(57)【要約】   【課題】入力されるアナログ信号に変調されているデジタル信号を復調するように指示する等の操作の必要がなく、操作性が良い電子楽器を提供する。  【解決手段】現在設定されているタイプがノーマルである場合は（Ｓ１２：Ｙｅｓ）、左チャネルのアナログ信号に、ビット列（デジタル信号）が変調されているか否かを検出する（Ｓ１３）。この検出は、アナログ信号のレベルがハイレベルまたはローレベルで所定時間保持され、つぎにハイレベルからローレベルへ、またはローレベルからハイレベルへ変化し、”０”または”１”を示すデジタル信号が検出されたか否かにより判断される。その結果、左チャネルにビット列を検出した場合は（Ｓ１３：Ｙｅｓ）、タイプをＡに設定する（Ｓ１４）。  【選択図】    図４
2006330533.tif 000002
【特許請求の範囲】
【請求項１】
それぞれ信号を入力する複数のチャネルの入力手段と、その入力手段に入力された信号を復調して電子楽器を制御するデジタル信号に変換する復調手段と、その復調手段により復調されたデジタル信号を音源に供給する供給手段とを備えた電子楽器において、
前記入力手段に入力された複数のチャネルの信号のいずれかに電子楽器を制御するデジタル信号が変調されているか否かを検出する検出手段と、
その検出手段により前記入力手段に入力された複数のチャネルの信号のいずれかに電子楽器を制御するデジタル信号が変調されていることを検出した場合は、そのチャネルに入力された信号から電子楽器を制御するデジタル信号を復調するように前記復調手段を制御し、前記デジタル信号が変調されていない他のチャネルの信号をオーディオ出力へ出力するように制御する制御手段とを備えていることを特徴とする電子楽器。
【請求項２】
前記入力手段に入力される信号は、アナログ信号であり、
前記検出手段は、前記入力手段に入力された複数のアナログ信号のいずれのチャネルにデジタル信号が変調されているかを検出することによりデジタル信号のタイプを判別し、
前記復調手段は、前記検出手段により判別されたタイプに基づいてデジタル信号を復調するものであることを特徴とする請求項１記載の電子楽器。
【請求項３】
前記入力手段に入力される信号は、アナログ信号であり、
前記検出手段は、前記入力手段に入力された複数のアナログ信号のいずれかにデジタル信号が変調されていることを検出した場合は、そのアナログ信号の波形が形成するパルスの幅を検出することによりデジタル信号のタイプを判別し、
前記復調手段は、前記検出手段により判別されたタイプに基づいてデジタル信号を復調するものであることを特徴とする請求項１記載の電子楽器。
【請求項４】
前記入力手段に入力される信号は、左右２つのチャネルの信号であり、
前記入力手段に入力された左右いずれかの信号を疑似ステレオ信号に変換する擬似ステレオ手段を備え、
前記制御手段は、前記検出手段により前記入力手段に入力された左右いずれかの信号に電子楽器を制御するデジタル信号が変調されていることを検出した場合は、そのデジタル信号が変調されているチャネルとは異なるチャネルの信号を前記擬似ステレオ手段へ供給するものであることを特徴とする請求項１から３のいずれかに記載の電子楽器。
【請求項５】
前記制御手段は、前記復調手段により復調されたデジタル信号を所定時間遅延させて音源へ供給する遅延手段を備えていることを特徴とする請求項１から４のいずれかに記載の電子楽器。
【発明の詳細な説明】
【技術分野】
【０００１】
本発明は、電子楽器に関し、特に入力されるアナログ信号に変調されているデジタル信号を復調して音源に供給する電子楽器に関する。
【背景技術】
【０００２】
従来、電子楽器相互または電子楽器とパーソナルコンピュータとの間で楽音の発生の開始や停止などの指示を行う演奏データの規格であるＭＩＤＩ（Musical Instrument Digital Interface)に適合したＭＩＤＩデータを入力し、入力されたＭＩＤＩデータに応じた楽音を発生する電子楽器が知られている。例えば、特開２００２−２９７１３２号公報（特許文献１）には、ＭＩＤＩ規格に対応した電子楽器が開示されている。
【０００３】
また、特開２００４−２３３４１６号公報（特許文献２）には、ＣＤ（Compact Disc）などにより再生された楽音の周波数または周波数帯域を随時検出し、その検出された周波数または周波数帯域に応じた音高の鍵を押下する電子楽器が開示されている。
【０００４】
また、ＣＤやＤＶＤ（Digital Versatile Disc）などにより再生される左右の音声チャネルのアナログ信号のいずれか一方にデジタル信号（ＭＩＤＩデータ）を変調して記憶し、そのアナログ信号をデジタル信号に復調してＭＩＤＩデータに変換し、ピアノの鍵盤の鍵を駆動することにより楽音を発生させるとともに、デジタル信号が変調されていないチャネルのアナログ信号は、鍵盤を駆動することにより発生される楽音の伴奏音として再生されるという電子楽器が提供されている。
【特許文献１】特開２００２−２９７１３２号公報
【特許文献２】特開２００４−２３３４１６号公報
【発明の開示】
【発明が解決しようとする課題】
【０００５】
しかしながら、ＣＤ等の左右の音声チャネルのアナログ信号のいずれか一方にデジタル信号を変調して記憶し、これを復調して鍵盤を制御する電子楽器では、再生されるアナログ信号に楽器を制御するデジタル信号が変調されているか否かを、ＣＤ、またはＣＤに添付されている説明書を参照して確認するとともに、電子楽器にそのＣＤを単に再生するのか、いずれか一方のチャネルに変調して記憶されているデジタル信号に基づいて電子楽器を制御するのかを操作により設定しなければならず、操作が煩わしいという問題点があった。
【０００６】
また、再生される左右２つのチャネルの内、いずれのチャネルに楽器を制御するデジタル信号が変調されているかは、ＣＤなどの種類によって異なるので、その種類を操作により設定する必要があるとともに、ユーザが、左右の入力チャネルの接続を間違えた場合には、電子楽器が意図したように動作しないという欠点があった。
【０００７】
本発明は、上述した問題点を解決するためになされたものであり、入力されるアナログ信号に変調されているデジタル信号を復調するように指示を行う等の操作を行う必要がなく、操作性が良い電子楽器を提供することを目的とする。
【課題を解決するための手段】
【０００８】
この目的を達成するために、請求項１記載の電子楽器は、それぞれ信号を入力する複数のチャネルの入力手段と、その入力手段に入力された信号を復調して電子楽器を制御するデジタル信号に変換する復調手段と、その復調手段により復調されたデジタル信号を音源に供給する供給手段とを備えたものであって、前記入力手段に入力された複数のチャネルの信号のいずれかに電子楽器を制御するデジタル信号が変調されているか否かを検出する検出手段と、その検出手段により前記入力手段に入力された複数のチャネルの信号のいずれかに電子楽器を制御するデジタル信号が変調されていることを検出した場合は、そのチャネルに入力された信号から電子楽器を制御するデジタル信号を復調するように前記復調手段を制御し、前記デジタル信号が変調されていない他のチャネルの信号をオーディオ出力へ出力するように制御する制御手段とを備えている。
【０００９】
請求項２記載の電子楽器は、請求項１記載の電子楽器において、前記入力手段に入力される信号は、アナログ信号であり、前記検出手段は、前記入力手段に入力された複数のアナログ信号のいずれのチャネルにデジタル信号が変調されているかを検出することによりデジタル信号のタイプを判別し、前記復調手段は、前記検出手段により判別されたタイプに基づいてデジタル信号を復調するものであることを特徴とする。
【００１０】
請求項３記載の電子楽器は、請求項１記載の電子楽器の電子楽器において、前記入力手段に入力される信号は、アナログ信号であり、前記検出手段は、前記入力手段に入力された複数のアナログ信号のいずれかにデジタル信号が変調されていることを検出した場合は、そのアナログ信号の波形が形成するパルスの幅を検出することによりデジタル信号のタイプを判別し、前記復調手段は、前記検出手段により判別されたタイプに基づいてデジタル信号を復調するものである。
【００１１】
請求項４記載の電子楽器は、請求項１から３のいずれかに記載の電子楽器において、前記入力手段に入力される信号は、左右２つのチャネルの信号であり、前記入力手段に入力された左右いずれかのチャネルの信号を疑似ステレオ信号に変換する擬似ステレオ手段を備え、前記制御手段は、前記検出手段により前記入力手段に入力された左右いずれかの信号に電子楽器を制御するデジタル信号が変調されていることを検出した場合は、そのデジタル信号が変調されているチャネルとは異なるチャネルの信号を前記擬似ステレオ手段へ供給するものである。
【００１２】
請求項５記載の電子楽器は、請求項１から４のいずれかに記載の電子楽器において、前記制御手段は、前記復調手段により復調されたデジタル信号を所定時間遅延させて音源へ供給する遅延手段を備えている。
【発明の効果】
【００１３】
請求項１記載の電子楽器によれば、入力手段に入力された複数のチャネルの信号のいずれかに電子楽器を制御するデジタル信号が変調されているか否かを検出する検出手段と、その検出手段により前記入力手段に入力された複数のチャネルの信号のいずれかに電子楽器を制御するデジタル信号が変調されていることを検出した場合は、そのチャネルに入力された信号から電子楽器を制御するデジタル信号を復調するように前記復調手段を制御し、前記デジタル信号が変調されていない他のチャネルの信号をオーディオ出力へ出力するように制御する制御手段とを備えている。
【００１４】
よって、電子楽器において、入力される信号に電子楽器を制御するデジタル信号が変調されているかを指示する必要がなく、操作性が良いという効果がある。
【００１５】
請求項２記載の電子楽器によれば、請求項１記載の電子楽器において、検出手段は、入力手段に入力された複数のアナログ信号のいずれのチャネルにデジタル信号が変調されているかを検出することによりデジタル信号のタイプを判別し、前記復調手段は、前記検出手段により判別されたタイプに基づいてデジタル信号を復調するものである。
【００１６】
変調されるデジタル信号には、種々のタイプがあり、複数のチャネルのいずれにデジタル信号を変調しているかや、アナログ信号のパルス幅や、ＭＩＤＩデータの記憶方式などが異なる。よって、複数のチャネルのいずれのチャネルにデジタル信号が変調されているかを検出すれば、そのデジタル信号のタイプを判別することができ、それによって、デジタル信号へ復調する処理が容易になるという効果がある。
【００１７】
請求項３記載の電子楽器によれば、請求項１記載の電子楽器の奏する効果に加え、検出手段は、入力手段に入力された複数のアナログ信号のいずれかにデジタル信号が変調されていることを検出した場合は、そのアナログ信号の波形が形成するパルスの幅を検出することによりデジタル信号のタイプを判別し、前記復調手段は、前記検出手段により判別されたタイプに基づいてデジタル信号を復調するものである。
【００１８】
左右いずれかのチャネルにデジタル信号が変調されていることを検出した場合に、そのチャネルに応じてタイプを検出するようにした場合には、ユーザが誤って左右を間違えて接続した場合に、正しく復調できない場合がある。しかしながら、パルスの幅によりデジタル信号のタイプを判別すれば、ユーザが左右の接続を間違えても、正しく復調、再生することができるという効果がある。
【００１９】
請求項４記載の電子楽器によれば、請求項１から３のいずれかに記載の電子楽器の奏する効果に加え、入力手段に入力された左右いずれかのチャネルの信号を疑似ステレオ信号に変換する擬似ステレオ手段を備え、制御手段は、検出手段により前記入力手段に入力された左右いずれかのアナログ信号にデジタル信号が変調されていることを検出した場合は、そのデジタル信号が変調されているチャネルとは異なるチャネルの信号を前記擬似ステレオ手段へ供給するものである。
【００２０】
よって、入力される左右のチャネルの信号のいずれかがデジタル信号を変調したものである場合は、デジタル信号を変調したアナログ信号ではないアナログ信号は、モノーラル信号であるので、擬似ステレオ信号に変換することができ、良好な音響の楽音が得られるという効果がある。
【００２１】
請求項５記載の電子楽器によれば、請求項１から４のいずれかに記載の電子楽器の奏する効果に加え、制御手段は、復調手段により復調されたデジタル信号を所定時間遅延させて音源へ供給する遅延手段を備えている。
【００２２】
ＣＤ等に記憶されている電子楽器を制御するデジタル信号は、アコースティックピアノの鍵を駆動し、その鍵が押下されることにより、打弦が行われて楽音が発生することを想定している。したがって、電子楽器が、デジタル信号を入力してから楽音が形成されるまでに、時間を要する（例えば、５００ｍｓｅｃ）。他方のチャネルに伴奏を行う楽曲が録音されている場合や、楽曲に同期した画像が記録されている場合には、デジタル信号により発生される楽音が遅れるので、この遅れの時間だけ早く、記憶されている。
【００２３】
鍵が押下され、その鍵に応じて打弦が行われるのではなく、デジタル信号を入力すると直ちに楽音を発生することができる音源の場合には、この遅れが発生しないので、デジタル信号を遅延することにより、他のチャネルにより再生される楽曲や、映像と同期して再生することができるという効果がある。
【発明を実施するための最良の形態】
【００２４】
以下、本発明の好ましい実施形態について、添付図面を参照して説明する。図１は、本発明の一実施形態である電子楽器１の電気的構成を示したブロック図である。
【００２５】
電子楽器１は、ＣＰＵ２と、ＲＯＭ３と、ＲＡＭ４と、鍵盤５と、操作パネル６と、ペダル７と、Ａ／Ｄ変換器８と、音源９と、ＤＳＰ１０とを備え、これらはバスラインにより相互に接続して構成される。ＤＳＰ１０の出力は、Ｄ／Ａ変換器１１に接続される。
【００２６】
ＣＰＵ２は演算処理装置であり、ＲＯＭ３には、このＣＰＵ２により実行される各種の制御プログラムやその実行の際に参照される固定値データが記憶される。制御プログラムとしては、後述するアナログ信号を復調したりその復調したデジタル信号を音源９へ供給する処理などを行うプログラムがある。ＲＡＭ４は、ＲＯＭ３等に記憶される制御プログラムの実行に当たって各種のデータ等を一時的に記憶するためのメモリであり書き換え可能に構成される。
【００２７】
鍵盤５は、複数の白鍵および黒鍵を有し演奏者が押鍵、離鍵することにより音高および押鍵速度、離鍵速度を出力するとともに、各鍵には、ソレノイド５ａが備えられて、ソレノイド５ａに通電されることにより、鍵を押下するものである。
【００２８】
操作パネル６は、鍵盤５の近傍に配置され各種ボリュームやスイッチなどの操作子や表示器などを有し、操作子がユーザにより手で操作され楽音のパラメータなどが設定され、設定されたパラメータの値などが表示器に表示される。ペダル７は、鍵盤５の下方であって、演奏者の足下に配置され、演奏者が足で踏み込むことによりダンパーなどの操作を行うものである。
【００２９】
操作パネル６に備えられたスイッチにより、通常演奏モードと自動演奏モードとの切り替えが設定される。通常演奏モードにおいては、ユーザが鍵盤５やペダル７を演奏操作すると、その演奏操作に応じた演奏情報が音源９に送信され、音源９は、その演奏情報に応じて楽音を発生したり停止したりする。一方、自動演奏モードにおいては、Ａ／Ｄ変換器８に入力される左右のチャネルのアナログ信号により自動演奏が行われ、左右いずれかのチャネルにデジタル信号が変調されている場合には、そのデジタル信号が復調されて、ＭＩＤＩデータに変換され、音源９および鍵盤５に送信され、他方のチャネルのアナログ信号は、疑似ステレオ化されて出力される。
【００３０】
音源９は、入力されるＭＩＤＩデータに応じて楽音を発生または停止し、鍵盤５は、各鍵に備えられたソレノイド５ａが駆動されて、押鍵または離鍵される。この時、各鍵の押鍵および離鍵によりＭＩＤＩデータを形成する必要はない。
【００３１】
Ａ／Ｄ変換器８は、外部から入力される左右のチャネルのアナログ信号を、所定のサンプリング周波数（例えば、４４．１ｋＨｚ）で、それぞれサンプリングして順次振幅値を取得するものである。
【００３２】
音源９は、各種楽器の波形を記憶し、ＣＰＵ２の指示に従って所定の音高、音量、音色の楽音を発生するもので、通常演奏モードでは、鍵盤５による押鍵、離鍵の演奏操作に応じて鍵に対応する音高の楽音の発生、停止を行い、自動演奏モードでは、Ａ／Ｄ変換器８により変換され復調されたＭＩＤＩデータに応じて楽音の発生、停止を行う。
【００３３】
ＤＳＰ１０は、デジタル信号処理装置（Digital Signal Processor）であり、音源９により発生された楽音または、Ａ／Ｄ変換器８により変換された振幅値にリバーブ等の効果を付与するものである。
【００３４】
また、ＤＳＰ１０は、入力されるモノーラル信号をステレオ化する擬似ステレオ処理を行う。この処理は、各種方法が知られており例えば、入力信号を二つのディレイラインに供給し、一方のディレイラインの読み出し速度を変調する低周波信号の位相を、他方のディレイラインの読み出し速度を変調する低周波信号の位相とは、１８０度ずらすなどの方法が知られている。
【００３５】
ＤＳＰ１０により、効果が付与されたデジタル信号または疑似ステレオ化されたデジタル信号は、Ｄ／Ａ変換器１１によりアナログ信号に変換され出力される。
【００３６】
図２は、Ａ／Ｄ変換器８に入力される左右のチャネルのアナログ波形を示すものである。図２（ａ）にＲ、Ｌとして示すように、この図では、Ｒチャネルにオーディオ信号が入力され、Ｌチャネルにデジタル信号が変調された信号が入力された場合を示している。
【００３７】
なお、Ｒチャネルにオーディオ信号を記憶し、Ｌチャネルにデジタル信号を記憶するか、Ｌチャネルにオーディオ信号を記憶し、Ｒチャネルにデジタル信号を記憶するかは、タイプにより異なる。
【００３８】
Ｌチャネルのデジタル信号が変調された信号は、通常、”０”を示す信号が続き、所定の時刻にスタートを示すスタートビットに続いて、”０”または”１”を示すパルス幅を有するパルス列によりＭＩＤＩデータが記憶されている。図２（ｂ）に示すように、この例では、”０”は、パルス幅が広く、”１”は、パルス幅が狭い。ここでは、レベルがハイかローかに関係なく、立ち上がりから立ち下がりまでの時間、あるいは立ち下がりから立ち上がりまでの時間の長短により、”０”または”１”あるいはスタートビットなどが定義されている。なお、このパルス幅の値や、スタートビット、あるいはストップビットを有するか否かも、タイプにより異なる。また、ＭＩＤＩデータも、ＭＩＤＩ規格により規定されているフォーマットではなく、メディアなどにより独自のフォーマットで記録されている場合がある。
【００３９】
スタートビットの開始時刻から、Ｒチャネルのオーディオ波形の立ち上がりまでの時間を遅延時間として示すように、ＭＩＤＩデータは、オーディオ波形が再生される時刻より早い時刻に記憶されている。これは、ＭＩＤＩデータのノートオンメッセージにより、ピアノの鍵が駆動され、その鍵の押下に応じてハンマーが弦を打弦するようなピアノの場合に、ＭＩＤＩデータを受信してから、楽音が発生されるまでに時間（例えば５００ｍｓｅｃ）を要するためである。Ｒチャネルのオーディオ波形は、そのピアノ音の伴奏を行うものであるので、ピアノの音が伴奏より遅れることになる。このようなことがないように、オーディオ波形は、ＭＩＤＩデータから所定時間遅延して記憶されている。なお、各ビットの長さは、１００μｓｅｃのオーダーで、遅延時間は、１００ｍｓｅｃのオーダーであって、図２（ａ）では、ビットの長さに比べ、遅延時間を短縮して示している。
【００４０】
図３は、ＤＳＰ１０により構成される擬似ステレオ回路を模式的に示す図である。左右のチャネルに入力されたアナログ信号にデジタル信号が変調されていない場合をノーマルタイプ、左チャネルの入力にデジタル信号が変調され、右チャネルの入力がオーディオ信号である場合をＡタイプ、左チャネルの入力がオーディオ信号であり、右チャネルにデジタル信号が変調されている場合をＢタイプとし、左右いずれのチャネルの入力を擬似ステレオ回路へ入力するかを切替スイッチを用いて示している。
【００４１】
入力された信号が、ノーマルタイプの場合は、左右の入力がアナログ信号であるので、切替スイッチを１の位置に設定し、左右いずれの入力も擬似ステレオ回路には供給せず、オーディオ出力へ出力される。
【００４２】
Ａタイプの場合は、左チャネルの入力にデジタル信号が変調され右チャネルの入力がオーディオ信号であるので、切替スイッチを２の位置に設定して、左チャネルの入力は、いずれにも接続されずにミュートされ、右チャネルの入力を擬似ステレオ回路へ入力する。  Ｂタイプの場合は、左チャネルの入力がオーディオ信号であり、右チャネルの入力にデジタル信号が変調されているので、切替スイッチを３の位置に設定して、左チャネルの入力を擬似ステレオ回路へ入力し、右チャネルの入力は、いずれにも接続されずにミュートされる。
【００４３】
図４は、電子楽器１の電源が投入されてから切断されるまでＣＰＵ２により実行される処理のフローチャートである。なお、このフローチャートでは、鍵盤が手動により演奏される通常演奏モードについての処理を省略し、Ａ／Ｄ変換器８にＣＤまたはＤＶＤを再生したアナログ信号が入力され、アナログ信号に変調されているデジタル信号により、自動演奏を行う場合の自動演奏モードの処理のみを示したものである。
【００４４】
電子楽器１の電源が投入されると、まず、タイプをノーマルに設定する（Ｓ１１）。このタイプは、上述のように、左右のチャネルに入力されたアナログ信号にデジタル信号が変調されていないタイプである。なお、この設定されたタイプの種類は、ＲＡＭ４の所定の領域に、記憶される。
【００４５】
次に、現在設定されているタイプが、ノーマルか否かを判断する（Ｓ１２）。現在設定されているタイプがノーマルである場合は（Ｓ１２：Ｙｅｓ）、左チャネルのアナログ信号に、ビット列（デジタル信号）が変調されているか否かを検出する（Ｓ１３）。この検出は、アナログ信号のレベルがハイレベルまたはローレベルで所定時間保持され、つぎにハイレベルからローレベルへ、またはローレベルからハイレベルへ変化し、”０”または”１”を示すデジタル信号が検出されたか否かにより判断される。
【００４６】
その結果、左チャネルにビット列を検出した場合は（Ｓ１３：Ｙｅｓ）、タイプをＡに設定し（Ｓ１４）、Ｓ１７の処理へ進む。なお、この実施形態では、左チャネルにデジタル信号が変調されている場合は、タイプＡであり、逆に右チャネルにデジタル信号が変調されている場合は、タイプＢであるものと判定するものとする。
【００４７】
Ｓ１３の処理において、左チャネルにビット列が変調されていると検出しなかった場合は（Ｓ１３：Ｎｏ）、右チャネルのアナログ信号にビット列が変調されているか否かを検出する（Ｓ１５）。この検出は、左チャネルの検出と同様であるので、その説明を省略する。
【００４８】
右チャネルにビット列を検出した場合は（Ｓ１５：Ｙｅｓ）、タイプをＢに設定し（Ｓ１６）、Ｓ１７の処理へ進み、右チャネルにビット列を検出しなかった場合は（Ｓ１５：Ｎｏ）、Ｓ１６の処理をスキップしてＳ１７の処理へ進む。
【００４９】
Ｓ１７の処理では、設定されていたタイプが今回変更されたか否かを判断する（Ｓ１７）。すなわちＲＡＭ４の所定の領域に記憶されているタイプが、書き換えられたか否かを判断する。タイプが変更された場合は（Ｓ１７：Ｙｅｓ）、図３に示す切替スイッチを変更されたタイプに対応する位置に設定する（Ｓ１８）。この処理により、左右いずれかのチャネルにデジタル信号が変調されている場合は、そのデジタル信号が変調されているチャネルとは異なるチャネルの入力が、擬似ステレオ回路へ入力される。
【００５０】
Ｓ１７の処理において、タイプが変更されていない場合（Ｓ１７：Ｎｏ）、またはＳ１８の処理を終了した場合は、オーディオ信号の振幅値を、切替スイッチに従って、出力または擬似ステレオ回路へ供給し（Ｓ１９）、Ｓ１２の処理へ戻る。
【００５１】
一方、Ｓ１２の判断処理において、現在設定されているタイプが、ノーマルではない場合は（Ｓ１２：Ｎｏ）、ビット列が停止したか否かを判断する（Ｓ２１）。ＣＤなどの再生が終了した場合や、再生中に再生の停止の操作が行われ、ビット列が所定時間以上検出されなかった場合である。
【００５２】
ビット列の停止ではない場合は（Ｓ２１：Ｎｏ）、ビット列からＭＩＤＩデータへ復調（復調）し（Ｓ２２）、所定時間遅延した後（Ｓ２３）、音源９および鍵盤５へ送信する（Ｓ２４）。なお、復調する場合、タイプにより復調の方法が異なるが、ここでは、説明を簡単にするために、タイプにより異なる処理を行うという記述は省略する。また、上述の通り遅延時間もタイプにより異なるので、このＳ２３において遅延する所定時間もタイプに対応した時間にそれぞれ設定する。また、このフローチャートでは、説明を簡単にするため、Ｓ２３の処理において、遅延するものとしたが、正確には、一時復調したＭＩＤＩデータをＲＡＭに記憶し、その記憶した時刻から所定時間が経過したことを検出した場合に、音源９へ送信する処理を行うものである。ＭＩＤＩデータを音源へ送出した場合は、Ｓ１７の処理へ進む。
【００５３】
音源９および鍵盤５は、ＭＩＤＩデータを受信すると、そのＭＩＤＩデータに対応する処理を行う。例えば、音源９は、ＭＩＤＩデータがノートオンであれば、そのノートオンが示す音高とベロシティに応じた楽音の発生を開始し、ノートオフであれば、そのノートオフが示す音高の楽音を消音する。また、鍵盤５は、ＭＩＤＩデータがノートオンであれば、そのノートオンが示す音高の鍵に対応するソレノイド５ａに通電して鍵を押下し、ノートオフであれば、そのノートオフが示す音高の鍵に対応するソレノイド５ａの通電を中止して離鍵する。なお、ソレノイド５ａにより鍵が駆動されて、鍵に備えられているスイッチが押鍵、離鍵を検出した場合は、そのスイッチの動作を無視し、音源９へのノートオン、ノートオフの送信を行わない。
【００５４】
Ｓ２１の処理で、ビット列が停止したと判断した場合は（Ｓ２１：Ｙｅｓ）、タイプをノーマルとし（Ｓ２５）、現在音源９が発音している楽音を停止するためにＭＩＤＩメッセージの一つであるオ−ルノートオフを送信し（Ｓ２６）、Ｓ１７の処理へ進む。
【００５５】
図５は、上記電子楽器１を含むシステムの概略を示すブロック図である。再生装置としては、ＤＶＤ再生装置２０を用い、ＤＶＤ再生装置２０が再生する左右のチャネルの音声信号は、電子楽器１へ入力され、ＤＶＤ再生装置２０が再生する映像信号は、ディスプレイ２１へ入力される。電子楽器１の左右のチャネルのオーディオ出力は、それぞれアンプ１５，１７へ出力され、各アンプ１５，１７の出力は、それぞれスピーカ１６，１８に接続されている。
【００５６】
ＤＶＤ再生装置２０により再生されるＤＶＤの音声トラックの左右いずれかのチャネルにＭＩＤＩデータが変調されて記憶され、そのチャネルとは異なるチャネルや、他の音声チャネルにＭＩＤＩデータにより発生される楽音の伴奏が記憶され、これらの楽曲に同期した映像が映像トラックに記憶され、このＤＶＤを再生すると、電子楽器１からディスプレイ２１に映し出される映像に同期して楽音が形成されるとともに、電子楽器１の鍵が駆動される。したがって、このＤＶＤを再生することにより、ディスプレイ２１の映像と、電子楽器１の鍵盤の動きとが同期し、これらの動きに同期して楽音が形成されるので、視覚的および聴覚的に演出を楽しむことができる。
【００５７】
以上説明したように、本実施形態の電子楽器１によれば、入力されるアナログ信号の左右のいずれかのチャネルにデジタル信号が変調されているか否かを検出し、デジタル信号が変調されている場合には、その変調されているデジタル信号を復調してＭＩＤＩデータに変換し、音源８を制御する。一方、デジタル信号が変調されていないチャネルのアナログ信号は、疑似ステレオ化されて出力される。よって、ユーザは、左右いずれの入力信号にデジタル信号が変調されているかなどの設定操作が不要であり、操作性を向上させることができる。
【００５８】
なお、請求項１記載の復調手段は、図４に示すフローチャートのＳ２２の処理が該当し、供給手段は、Ｓ２４の処理が該当し、検出手段は、Ｓ１３およびＳ１５の処理が該当し、制御手段は、Ｓ１９およびＳ２２の処理が該当する。
【００５９】
また、請求項５記載の遅延手段は、図４に示すフローチャートのＳ２３の処理が該当する。
【００６０】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００６１】
例えば、上記実施形態では、電子楽器１は、鍵盤５を内蔵するものとしたが鍵盤装置を別体とし、その鍵盤装置から電子楽器１へ、または電子楽器１から鍵盤装置へＭＩＤＩ規格に従う通信方式により演奏データを送信するようにしてもよい。
【００６２】
また、上記実施形態では、Ａ／Ｄ変換器８に、外部に接続されたＣＤやＤＶＤの再生装置から左右のアナログ信号を入力するものとしたが、これらの再生装置から音声のデジタル信号を入力し、そのデジタル信号から、電子楽器を制御するデジタル信号を復調するようにしてもよい。
【００６３】
また、上記実施形態では、左右のいずれのチャネルにデジタル信号が変調されているかを検出し、その検出したチャネルにより、デジタル信号のタイプを判別するものとしたが、入力信号の”０”や”１”を示すパルスの幅を検出し、そのパルスの幅によりデジタル信号のタイプを判別するようにしてもよい。上述の通り、タイプにより、”０”や”１”を示すパルスの幅が異なるとともに、ＭＩＤＩデータのフォーマットも異なるので、タイプを判別することにより、正確にＭＩＤＩデータに復調することができる。
【００６４】
また、上記実施形態では、音源９を電子楽器１の内部に備えているものとしたが、ＭＩＤＩデータを出力する出力手段を備え、その出力手段に外部音源を接続し、その外部音源により楽音を発生するようにしてもよい。
【図面の簡単な説明】
【００６５】
【図１】本発明の実施形態における電子楽器の電気的な構成を示すブロック図である。
【図２】（ａ）は、左右チャネルの入力波形を示し、（ｂ）は、ビット列の”０”および”１”を示す波形を示す図である。
【図３】疑似ステレオ回路への入力切替スイッチを示す図である。
【図４】処理を示すフローチャートである。
【図５】電子楽器に入力する再生装置がＤＶＤ再生装置である場合のシステム構成を示すブロック図である。
【符号の説明】
【００６６】
１                  電子楽器
２                  ＣＰＵ
８                  Ａ／Ｄ変換器（入力手段）
９                  音源
１０                ＤＳＰ（疑似ステレオ手段）
【図１】
2006330533.tif 000003
【図２】
2006330533.tif 000004
【図３】
2006330533.tif 000005
【図４】
2006330533.tif 000006
【図５】
2006330533.tif 000007